(57)【要約】【課題】  発熱面積が広く、瞬時に昇温することにより熱効率が高く、さらに平面で発熱するために均一的な温度分布が得られることで、積雪地帯における住宅の周囲に積もった雪を効率よく溶かすことができるハニカム温熱板を提供すること。【解決手段】  本発明のハニカム温熱板（１）は、発熱体（１０）と、発熱体（１０）を内設する複数の保持体（２）と、保持体（２）の上下面に配設されている固定板（５）、（６）とで構成される。また前記保持体（２）は、複数のハニカム体（３）を連結して形成されており、さらに前記発熱体（１０）は、前記保持体（２）の側面に穿設された開孔部（４）内に貫通した状態で配設されている。【選択図】図１
2008025325.tif 000002
【特許請求の範囲】
【請求項１】
発熱体と、発熱体を内設する複数の保持体と、保持体の上下面に配設されている固定板とで構成されることを特徴とするハニカム温熱板。
【請求項２】
前記保持体は、複数のハニカム体を連結して形成されている請求項１記載のハニカム温熱板。
【請求項３】
前記発熱体は、保持体の側面に設けられた開孔部に貫通した状態で配設されている請求項１または２記載のハニカム温熱板。
【請求項４】
前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される請求項１乃至３のうちいずれか１項記載のハニカム温熱板。
【請求項５】
前記発熱体の一端にプラグを挿着するコンセントを、多端に温熱板同士を電通する連結プラグを設置した請求項１乃至４のうちいずれか１項記載のハニカム温熱板。
【発明の詳細な説明】
【技術分野】
【０００１】  本発明は、発熱面積が広く均一的な温度分布が得られ、且つ低コストで効率よく加熱保温することができるハニカム温熱板に関する。
【背景技術】
【０００２】  従来、積雪地帯において、埋設型融雪装置を利用して住宅の周囲に積もった雪を溶かす融雪装置がある（例えば、特許文献１参照）。
上掲の融雪装置は、埋設型融雪装置を構成するバーナー室と融雪室に隣接して、ロードヒーティングタンクを設け、該ロードヒーティングタンク内に熱交換液を充填すると共に、該ロードヒーティングタンクに通路や庭に埋設したロードヒーティングパイプを連通して循環するようにし、前記ロードヒーティングタンクと融雪室に設けた冷却水室をパイプにて連通し、該パイプの一端に冷却水戻しポンプを連通し循環するようにしている。
【特許文献１】特開平１０−３１７３４５号公報
【発明の開示】
【発明が解決しようとする課題】
【０００３】  しかしながら、上掲の融雪装置は、内部装置を可動させるために多くの電力を必要とした。また、装置を構成するためロードヒーティングタンクや諸々の器具を配設させなければならず、製造コストの面でも問題が残った。さらに、通路や庭にロードヒーティングパイプを埋設させるための設置工事も必要になった。【０００４】  そこで本発明は上記の点に鑑み、発熱面積が広く、瞬時に昇温することにより熱効率が高く、さらに平面で発熱するために均一的な温度分布が得られることで、積雪地帯における住宅の周囲に積もった雪を効率よく溶かすと共に、暖房補助用具として幅広く使用することができるハニカム温熱板を提供することにある。
【課題を解決するための手段】
【０００５】上記課題を解決するために、本発明のハニカム温熱板は、発熱体と、発熱体を内設する複数の保持体と、保持体の上下面に配設されている固定板とで構成されることを特徴とする。また前記保持体は、複数のハニカム体を連結して形成されている。また前記発熱体は、保持体の側面に設けられた開孔部に貫通した状態で配設されている。また前記発熱体は、ポリエステルフィルムの上面にニッケルインヂウム酸化化合物を添加した塗料を塗布した面にポリエステルフィルムを積層被覆し、両端に電極を圧着接合し電極部に電源を接続して形成される。さらに前記発熱体の一端にプラグを挿着するコンセントを、多端に温熱板同士を電通する連結プラグを設置した。
【発明の効果】
【０００６】  ポリエステルフィルムの上面にニッケルインヂウム酸化化合物を添加した塗料を塗布した面にポリエステルフィルムを積層被覆し、両端に電極を圧着接合し電極部に電源を接続して形成される発熱体を用いることで、発熱面積が広く、瞬時に昇温して熱効率が高く、さらに平面で発熱するために均一的な温度分布が得られる。そのため、積雪地帯における住宅の周囲に積もった雪を効率よく溶かすと共に、一般的な暖房補助用具として幅広く使用することができる。【０００７】  また前記保持体は、複数のハニカム体を連結して形成されており、前記発熱体は、前記保持体の側面に貫通した状態で配設されているため、少ない部材で高い強度や保持力が得られてコストの削減が実現できる。
【発明を実施するための最良の手段】
【０００８】  以下、本発明におけるハニカム温熱板の実施の形態を図面に基づいて説明する。
図示するハニカム温熱板は、積雪地帯における住宅の庭や通路、または公道や広場等に積もった雪を効率よく、且つ低コストで溶かすことを特徴とするものである。また、一般的な暖房補助用具として幅広く使用することも可能である。
【０００９】  図示するハニカム温熱板１は、発熱体１０と、発熱体１０を内設する複数の保持体２と、保持体２の上面に配設されている上部固定板５と、下面に配設されている下部固定板６とで構成される。また前記ハニカム温熱板１は、特に大きさは限定されるものではないが、運搬や配設工程を考慮した場合、幅５０ｃｍ、長さが１００ｃｍ程度の大きさに形成することが好ましい。
【００１０】  保持体２は、軽量で強度の高いアルミや他の金属で形成されている、平面六角状のハニカム体３を複数連結して形成されている。そのため、製造や容易でコストが削減でき、さらに上部からの加圧に優れた強度を発揮する。また前記保持体２の側面には、対向する箇所に楕円形状の開孔部４が穿設されている。
【００１１】  また前記保持体２には、前記開孔部４に貫通した状態で発熱体１０が内設されている。特に前記発熱体１０は、図２及び図３に示すように、往復した状態でハニカム体３の開孔部４内に連通されている。そのため、上部からの加圧や左右の振動に対し、高い耐久性や保持力を発揮することができる。
【００１２】  また前記保持体２の上下面には、連結されたハニカム体３の結合状態を保持すると共に、上下面からの埃の侵入や強度向上ため、上部固定板５と下部固定板６とが固定された状態で配設されている。かかる上部固定板８と下部固定板９とは、軽量で強度を有するアルミ板にて形成することが好ましい。
【００１３】  前記発熱体１０は、図４に示すように、ポリエステルフィルム１３の上面にニッケルインヂウム酸化化合物を添加した塗料１２を塗布した面に、ポリエステルフィルム１１を積層被覆し、両端に電極を圧着接合し電極部に電源を接続して形成されることを特徴とする。前記発熱体１０は発熱面積が広く、瞬時に昇温することにより熱効率が高く、さらに平面で発熱するために均一的な温度分布が得られる。そのため、積雪地帯における住宅の庭や通路、または公道や広場等に積もった雪を効率よく、且つ低コストで溶かすことができる。なお前記発熱体１０は、特開２００４−３１６３７７号公報に開示された公知技術である。
【００１４】  また図３に示すように、前記発熱体１０の一端に電源コードのプラグを挿着するコンセント７を、多端に温熱板同士を連結する連結プラグ８を設置した。前記コンセント７を発熱体１０の一端に設けることで電源の入切が容易になる。また発熱体１０の多端に連結プラグ８を設置することで、複数のハニカム温熱板１を連結することができ、作業性や利便性を向上させることが可能となる。
【００１５】  次に本発明のハニカム温熱板１の使用方法を図５に基づいて説明する。
図５に示す使用例は、積雪地帯の家屋の玄関先に本発明のハニカム温熱板１を埋設した状態を示すものである。前記ハニカム温熱板１を単一若しくは複数配設して、電源コード９で電力を供給することで、ハニカム温熱板１全体が短い時間で、且つ平面で発熱するため、降雪する雪が瞬時に溶融し、玄関先の通路に雪が積もることがない。なお、本発明のハニカム温熱板１を設置する場所は図示する家屋の玄関先に限定されるものではなく、積雪地帯における住宅の庭、または公道や広場等に幅広く使用できることは言うまでもない。さらに、本発明のハニカム温熱板は、前述の融雪効果は基より、暖房補助用具としても幅広く使用できる。
【図面の簡単な説明】
【００１６】
【図１】本発明のハニカム温熱板の斜視図である。
【図２】前記ハニカム温熱板の平面図である。
【図３】前記ハニカム温熱板の全体図である。
【図４】発熱体の斜視図である。
【図５】本発明のハニカム温熱板の使用状態を示す。
【符号の説明】
【００１７】１    ハニカム温熱板
２    保持体
３    ハニカム体
４    開孔部
５    上部固定板
６    下部固定板
７    コンセント
８    連結プラグ
９    電源コード
１０  発熱体
１１  ポリエステルフィルム
１２  塗料
１３  ポリエステルフィルム
【図１】
2008025325.tif 000003
【図２】
2008025325.tif 000004
【図３】
2008025325.tif 000005
【図４】
2008025325.tif 000006
【図５】
2008025325.tif 000007